(57)【特許請求の範囲】
【請求項１】
エレベータの天井部に設けられた多角形状の照明板と、この照明板の外周に所定の間隙をおいて設置された位置ズレ防止用の枠と、この枠の各辺の対角側の隅に設けられ、上記照明板および上記枠よりも上方に離れて延設され、上縁部が上記照明板の中心寄りに屈折された跳ね上がり防止用のストッパーと、
を備え、上記照明板が上記ストッパーの上縁部よりも下部に位置しかつ上記枠よりも上部に位置した状態で一定方向に回転可能とし、上記照明板を所定の量回転したときに上記ストッパーの上縁部から解放されるように構成したことを特徴とするエレベータかごの照明装置。
【請求項２】
ストッパーを上下に調整可能な構成としたことを特徴とする請求項１記載のエレベータかごの照明装置。
【請求項３】
ストッパーの上縁部の形を、面取り、三角形、台形等の照明板に合わせた形状にしたことを特徴とする請求項１記載のエレベータかごの照明装置。
【発明の詳細な説明】
【０００１】
【発明の属する技術分野】
この発明は、エレベータかごの照明装置に関するものである。
【０００２】
【従来の技術】
不特定多数の人が利用でき、密室となることの多いエレベータかごの天井に設けられた照明装置において、照明箱の下面に配置される照明板には、突き上げ等の悪戯による脱落事故や照明器具の破損を防止する為に、ストッパーを設けている場合がある。又、照明板は構造上点検口と兼用されることが多い為、実公昭６３−３３９０６号公報や特開平５−１１６８７２号公報に掲載の照明装置では、板バネ式のストッパーを使用し、照明板をかご内から脱着可能に保持している。そして保守点検時には保守担当者は、図１０（実公昭６３−３３９０６号公報）または図１１（特開平５−１１６８７２号公報）に示すようにこの照明板を上に持ち上げるとともに照明板がストッパーから外れるように器具を操作して上記の板バネを撓屈させ、上記照明板がストッパーから外れ、このストッパーを乗り越えたら、照明板を傾斜状態に保持して上記枠から下方へ取り出すようにしている。
【０００３】
【発明が解決しようとする課題】
しかしながら、このような従来の照明装置では、保守担当者は照明板をストッパーから外すために片手で器具を操作して板バネを撓屈させ、同時にもう一方の手で照明板を持ち上げなければならないため、保守点検作業が不安定で作業性が悪いという問題点があった。
【０００４】
この発明は上記のような問題点を解決するためになされたもので、照明器具の保守点検の際に、安定した作業ができ作業性の効率向上を図ることを目的としている。
【０００５】
【課題を解決するための手段】
この発明に係るエレベータかごの照明装置は、エレベータの天井部に設けられた多角形状の照明板と、この照明板の外周に所定の間隙をおいて設置された位置ズレ防止用の枠と、この枠の各辺の対角側の隅に設けられ、上記照明板および上記枠よりも上方に離れて延設され、上縁部が上記照明板の中心寄りに屈折された跳ね上がり防止用のストッパーと、
を備え、上記照明板が上記ストッパーの上縁部よりも下部に位置しかつ上記枠よりも上部に位置した状態で一定方向に回転可能とし、上記照明板を所定の量回転したときに上記ストッパーの上縁部から解放されるように構成したものである。
【０００６】
また、この発明に係るエレベータかごの照明装置は、ストッパーを上下に調整可能な構成としたものである。
【０００７】
また、この発明に係るエレベータかごの照明装置は、ストッパーの上縁部の形を、面取り、三角形、台形等の照明板に合わせた形状にしたものである。
【０００８】
【発明の実施の形態】
実施の形態１．
この発明に係るエレベータかご照明装置の実施の形態１について、図１〜図５を用いて説明する。図１はかごの天井装置の概略を示す縦断面図、図２と図４は照明箱内平面図、図３と図５は照明箱内断面図である。図１において、１はかご、２は天井、３は照明箱、４は照明板、５は照明器具である。
また、図２において、６は照明板４の周囲に設けられた枠、７は照明板ストッパーである。
【０００９】
照明板ストッパー７は、図２、図３に示すように、照明板４の周囲に設けられた枠６を形成する各辺の対角側の四隅に取り付けられており、十分な強度を保有するので、単に照明板４の片側、又は両側を突き上げただけでは、照明板ストッパー７に阻止されるとともに、脱落して照明器具５を破損するようなことはない。
【００１０】
次に、本発明による保守・点検作業時の照明板４の取り外し手順について、図４、図５を用いて説明する。まず、保守担当者は、図５に示すように照明板４を照明板ストッパー７の上端下面に近接する位置まで持ち上げ、枠６と照明板ストッパー７の隙間を利用して、図４のように照明板４の中心を軸としてどちらか一方に水平に回転させ、照明板４を照明板ストッパー７から解放し、さらに上方に持ち上げることができる為、従来通りに照明板４を三次元的に傾斜させてかご室１の中に抜き取ることができる。また、取付方法については、前記と逆の手順である。このとき、枠６と照明板ストッパー７の端面には照明板４を傷つけないように、保護部材を取り付けてもよい。
【００１１】
上記構成によれば、照明板ストッパー７を解放する際、片手ではなく、両手で持ち上げることができ一連の動作で照明板を取り外せるので、照明器具の保守・点検作業を安全で効率的に実施することができる。また、板バネ等の加工が必要な部材を使用しなくてもよいので、安価に構成することができる。
【００１２】
実施の形態２．
この発明に係るかご照明装置の実施の形態２について説明する。図６に示すように、実施の形態１の照明板ストッパー７を上下に調整可能な照明板ストッパー７ａにする。照明板ストッパー７を上下に調整した後の固定方法については公知の技術による。たとえば、照明板ストッパー７ａにネジ溝を堀った貫通孔を設け、枠６の端部にも同じネジ溝を堀った貫通孔を設け、双方の孔を同時に嵌合するネジを用いて貫通させてネジ留めする。但し、このネジの長さは、６の内部にあまり出ないようにする。
【００１３】
このように、照明板ストッパーを上下に調整可能とすることにより、厚さの異なる照明板にも柔軟に対応できるという効果がある。
【００１４】
実施の形態３．
次に、この発明に係るエレベータかご照明装置の実施の形態３について説明する。図７〜図９は、照明箱の平面図であり、照明板ストッパーと枠に着目した図である。同図に示すように、照明板ストッパー７の上面の形を、面取り、三角形、台形等の照明板に合わせた形状の照明板ストッパー７ｂ〜７ｄにすることにより、照明板４をストッパーから解放する際の回転角度を実施の形態１よりも小さくでき、照明箱３のサイズも小さくて済むので、省スペースで安価に構成できるという効果がある。
【００１５】
なお、上記の実施の形態では、方形の照明板を前提に説明したが、上記の条件を満足できる形であれば、六角形や八角形などの多角形の照明板でもよい。
【００１６】
【発明の効果】
この発明によれば、照明板ストッパーを解放する際、片手でなく両手で照明板を支えた状態で一連の動作で照明板を取り外せるので、照明器具の保守・点検作業を安全で効率的に実施することができる。また、板バネ等の加工が必要な部材を使用しなくてもよいので、安価に構成することができるという効果を奏する。
【００１７】
また、照明板ストッパーを上下に調整可能にしたので、厚さの異なる照明板にも柔軟に対応できるという効果を奏する。
【００１８】
また、照明板ストッパー７の上面の形を、面取り、三角形、台形等の照明板に合わせた形状の照明板ストッパーにすることにより、照明板をストッパーから解放する際の回転角度をより小さくでき、照明箱のサイズも小さくて済むので、省スペースで安価に構成できるという効果を奏する。
【図面の簡単な説明】
【図１】  かごの天井装置の概略を示す縦断面図である。
【図２】  照明箱内平面図である。
【図３】  照明箱内断面図である。
【図４】  照明箱内平面図である。
【図５】  照明箱内断面図である。
【図６】  上下に調整可能な照明板ストッパーを示す図である。
【図７】  照明箱の平面図である。
【図８】  照明箱の平面図である。
【図９】  照明箱の平面図である。
【図１０】  従来の照明板の取り外し状況を説明した図である。
【図１１】  従来の照明板の取り外し状況を説明した別の図である。
【符号の説明】
１  かご室、  ２  天井、  ３  照明箱、  ４  照明板、  ５  照明器具、  ６  枠、  ７  照明板ストッパー。
【図１】
0004496400.tif 000002
【図２】
0004496400.tif 000003
【図３】
0004496400.tif 000004
【図４】
0004496400.tif 000005
【図５】
0004496400.tif 000006
【図６】
0004496400.tif 000007
【図７】
0004496400.tif 000008
【図８】
0004496400.tif 000009
【図９】
0004496400.tif 000010
【図１０】
0004496400.tif 000011
【図１１】
0004496400.tif 000012